(57)【要約】      （修正有）【課題】書類等収納具において、収納物を入れた状態で二つ折りにした時に、収納具本体がふくれあがり変形し、携帯するのに不便となることを防止する。【解決手段】外側部３と内側部４の縁を断端挿入部１に挿入し、その一方の内側部４の縁のみを固定する。書類等挿入側を除き、収納具の曲げ部分の長さを書類等挿入側の辺の長さから除外した最大２分の１の長さの範囲でマチ６を設ける。これにより二つ折り動作において外側部３が収納具の書類等挿入側の辺に対して平行に可動できる。仕切り板５は書類等挿入側の対側の縁に書類等挿入側の辺の長さから折り曲げ部の長さと、内側部４及び外側部３の部材の厚みを除外した長さの最大２分の１の長さで固定する。【選択図】図１
2012020090.tif 000002
【特許請求の範囲】
【請求項１】
書類等収納具の折り曲げ側を内側部、それに対する側を外側部とする。
外側部と内側部は片方のみ、書類等収納具の折り曲げ部分に相当する長さを、書類等挿入側の辺の長さから除外した長さの最大２分の１の長さで、書類等挿入側を除きその縁を固定する。固定部位にはマチを設けても良い。
【請求項２】
収納物の増減時および収納具を二つ折りにして使用するときの動作において、外側部が収納具の書類等挿入側の辺に対して平行に可動できる事で、外側部の内側部に対する相対的な長さが変化する書類等収納具。その一例として、請求項１のように固定した側の対側にある断端の一方が、そのもう一方の断端に設けた断端挿入部にある挿入口に挿入されたる書類等収納具があり、また前記のように固定した側の対側の一方の断端に設けたスリットに、そのもう一方の断端に設けた、アンダーカットを有するフラップが挿入されて内側部と外側部の断端が接続されたる書類等収納具などがある。
すなわち、断端挿入部は断端と挿入部から構成されるが、その断端にスリットを設け、そこに一方の断端側の前記フラップを挿入して断端の接続と収納具の書類等挿入側の辺に平行な可動性を維持し、さらに断端どうしの脱離を防止してもよい。スリットとフラップの位置関係は前記の逆でも良い。
なお前記機構を施した場合、断端挿入部の構成部分である挿入部を省略してもよい。
【請求項３】
請求項１の収納具中の仕切り板において，書類等挿入側の対側の縁に書類等挿入側の辺の長さから折り曲げ部の長さと、内側部および外側部の部材の厚みを除外した長さの最大２分の１の長さで固定し、同仕切り板の二つ折りされる部分から対側は固定しない仕様。固定部分にはマチを設けても良い。
【発明の詳細な説明】
【技術分野】
【０００１】  書類等収納具の基本構造に関わるものである。
【背景技術】
【０００２】  従来の収納具は周囲４辺のうち書類等挿入部を除く３辺が固定されている。【０００３】  二つ折り形態の収納具はその状態で形態を維持出来るように（折りたたむ側）内側部より外側部の長さが絶対的に長く設計されている。【０００４】  従来の二つ折り収納具は収納部（図１６の１３）に収容の余裕（マチ）が設けられていないのが一般的である。
したがって収納量の増加による厚みの増加は本体部材が伸びる等変形（図１６の１２）する事で対応している。そのため収納物により本体がふくれあがり変形し携帯に不便であるうえに、当初のデザインを長期わたり維持できない。
【発明の開示】
【発明が解決しようとする課題】
【０００５】  従来設計の収納具はその４辺のうち３辺が固定されていて、長尺収納具は挿入側の辺に直行するように、二つ折り出来ない。【０００６】  また二つ折り仕様の物は、折りたたんだ状態で形を維持出来るようにするには、外側部材が内側部材（折り曲げる側）より絶対的に長く設計されなければならず、開くと収納具の外側部の曲げ部分が折りたたみ方向と逆方向に突出して変形する。さらに伸ばした状態を保持できない。（図１５の１１）【０００７】  従来設計の二つ折り収納具は上記の理由から伸ばした状態で使用できないので、折り曲げたくない書類等を入れて使用できない。【０００８】  二つ折り仕様の収納具は適切な収納用のマチが設けられていないのが一般的である。（図１６の１３）よって物を収納すると収納具の部材が伸びる等変形して、収納物の厚みの増加に対応する事になり、部材の変形（図１５と１６の１１と１２）による劣化により当初のデザインを維持したまま長期の使用に耐えられない。【０００９】  マチが無い状態で折りたたんだ形態を維持出来るように設計されている。
よって使用時に、収納物の厚み分ふくれあがり、収納具が折りたたんだ形態から開く傾向になるため、かさばるので携帯するのに不便である。
【課題を解決するための手段】
【００１０】  収納具本体の折り曲げ側を内側部、その対側を外側部とする。
課題は収納具使用時において、本体外側部および仕切り板の内側部に対する、相対的な長さが変化する事、また収納部にマチが無い事に起因したものである。
前記課題の変化にたいして、外側部を使用時に収納具の書類等挿入側の辺に対し平行に可動（図３と４のＣ）させる事と、仕切り板の取り付け部分は本体の曲げ部分に相対する部分から一方の断端まで固定しない仕様（図１〜４の５とｄ）で、それぞれの内側部に対する相対的な長さの変化を補正し、また干渉を発生させず、さらにマチを設ける事で本体部材の変形を防止して課題を解決する。
【発明の効果】
【００１１】  収納量の増減に伴う収納部の形態変化を、従来設計の物のように収納具部材の変形に頼らず、また収納具自体が変形することなく開閉できるので、部材の劣化を最小にして、そのデザインを長期にわたり維持することができる。【００１２】  収納具を無理なく折りたため、収納物の厚みが増加しても本体が開いた状態になりにくいので、かさばらず携行しやすい。【００１３】  二つ折りデザインの収納具を折らずに伸ばした状態（図１）でも使用できるので、折り曲げたくない物も収容できる。その実態を財布とした場合はジャケット等の内ポケットにも伸ばしたまま収納でき、かつコンパクト（図２）に折りたたんで臀部ポケットに入れる事も出来る、よって収納具本体の携行性が高まる。【００１４】  長尺型の収納具（財布等）としても本発明の設計仕様であれば二つ折りして使用出来る。
【発明を実施するための最良の形態】
【００１５】  課題は収納具使用時に、外側部および仕切り板の内側部に対する相対的な長さが変化する事、収納部分にマチが無い事にある。【００１６】  すなわち収納具本体を折りたたんだときは外側部が内側部より長さが長い（Ｃ）。開いた状態で変形せず自立的に形態を保持できるようにするには、外側および内側部が同じ長さ（図３Ａ，Ｂ）になり、仕切り板が内側および外側部に干渉しないことが必要となる。また収納物の量により内側部から仕切り板（ａとｅ）、仕切り板から外側部（ｅとｂ）間の長さが増減すると外側部の長さも増減する必要があるが、従来の設計では上記変化に積極的に対応する策がまったく講じられていないままで、本体が変形する事を黙認、看過してきた。
そこで本発明は、外側部を書類等挿入側の辺に対し平行に可動（図３と４のｃ）させる事と、仕切り板の取り付け部分は収納具の曲げ部分から一方の断端まで固定しないこと（図１〜４の５とｄ。図１３と１４のｃとｄと５）で、その相対的な長さの変化を補正し、干渉を無くす、また収納部にマチを設けるという積極的で簡便な方策により変形を防止して課題を解決した。
【図面の簡単な説明】
【００１７】
【図１】本発明により作成された収納具の開時を示す。斜線部は断端収納部の断面を示す。下面からの透視図。
【図２】本発明により作成された収納具の閉時を示す。３の外側部が１の断端収納部から引き出されている（ｃ、８）  下面からの透視図。
【図３】本発明思想により作成された収納具の開時における外側部と内側部および仕切り板の長さの関係を示す。下面からの透視図。
【図４】本発明思想により作成された収納具の閉時における外側部および仕切り板の内側部に対する位置の変化を示す（ｃ、ｄ）。下面からの透視図。
【図５】本発明思想により作成された収納具の開時外側面観を示す。
【図６】本発明思想により作成された収納具の断端収納部の側面観を示す。
【図７】本発明思想により作成された収納具の上面を示す。
【図８】本発明思想により作成された収納具の開時内側面観を示す。
【図９】本発明思想により作成された収納具の［図６］の対側面観を示す。
【図１０】本発明思想により作成された収納具の下面を示す。
【図１１】本発明思想による断端脱離防止構造のスリットとフラップを示す。
【図１２】本発明思想による断端離脱防止構造のフラップ接続透視図を示す。
【図１３】本発明作例、折り曲げ部の伸ばした状態拡大図を示す。
【図１４】本発明作例、曲げ部拡大図。外側部が断端挿入部から引き出されている。
【図１５】従来設計の収納具。実際使用された財布の写真で外側部の変形を示す。
【図１６】従来設計の収納具。実際使用されて変形した状態（外側部の盛り上がり）とマチの不設定を示す。
【符号の説明】
【００１８】１    断端挿入部、斜線部はその断面を示す。
２    １の断端挿入口
３    外側部
４    内側部
５    仕切り板
６    マチ  断端挿入部側のもの
７    マチ  ６の対側のもの
８    収納具開閉時の外側板の動き
９    脱離防止フラップ
１０  スリット
Ａ    外側部の長さ
Ｂ    内側板の長さ
ａ    内側部の位置
ｂ    外側部の位置
ｃ    外側部の収納具開閉時の可動量の一例
ｄ    仕切り板断端の収納具開閉時の内側および外側部との位置関係
ｅ    仕切り板の位置。
１１  従来設計思想で作成された収納具の曲げ部分の外側部の開時突出変形。
１２  従来設計思想で作成された収納具の外側部、部材の盛り上がり変形。
１３  従来設計思想で作成された収納具のマチの不設定状況。
【実施例】
【００１９】  書類等収納具の折り曲げ側を内側部、それに対する側を外側部とする。
外側部と内側部は片方のみ、書類等挿入側を除き、収納具の曲げ部分の長さを書類等挿入側の辺の長さから除外した最大２分の１の長さの範囲でマチを設け、その縁を固定する。（図１の３と４と７）【００２０】  内側、外側部の縁を固定した側の反対側断端はその同側のもう一方の断端に設けた断端挿入部に挿入する。（図１の１と２と３）
断端には断端挿入部からの脱離防止になるアンダーカットを有するフラップを設けてもよい。（図１１と１２）
すなわち断端側にスリットを設け、そこに対側の断端側のフラップを挿入して両断端の脱離を防止してもよい。断端どうしはフラップで接続されるが、そのフラップのアンダーカット部を除く長さの範囲で課題に対処できる。
アンダーカットの無いフラップを前記スリットに入れて後、スリットの長さを超える別部品をフラップに付ける事でも脱離防止になる。
なお上記方法を使用した場合は挿入部を構成から外しても良い。【００２１】  書類等収納具中の仕切り板は、書類等収納側の辺の長さから折り曲げ部の長さと内側および外側部材の厚みを除外した長さの最大２分の１の長さで書類等挿入側の対側の縁にマチと共に固定し、同仕切り板の二つ折りされる部分から対側は固定しない。（図１と２、の５とｄ）以上が実施例である。（図１３と１４実際の作例を示す）
【図１】
2012020090.tif 000003
【図３】
2012020090.tif 000004
【図５】
2012020090.tif 000005
【図６】
2012020090.tif 000006
【図７】
2012020090.tif 000007
【図８】
2012020090.tif 000008
【図９】
2012020090.tif 000009
【図１０】
2012020090.tif 000010
【図１１】
2012020090.tif 000011
【図１２】
2012020090.tif 000012
【図１３】
2012020090.tif 000013
【図１５】
2012020090.tif 000014
【図１６】
2012020090.tif 000015
【手続補正書】
【提出日】平成22年9月8日(2010.9.8)
【手続補正２】
【補正対象書類名】図面
【補正対象項目名】全図
【補正方法】変更
【補正の内容】
【図１】
2012020090.tif 000016
【図２】
2012020090.tif 000017
【図３】
2012020090.tif 000018
【図４】
2012020090.tif 000019
【図５】
2012020090.tif 000020
【図６】
2012020090.tif 000021
【図７】
2012020090.tif 000022
【図８】
2012020090.tif 000023
【図９】
2012020090.tif 000024
【図１０】
2012020090.tif 000025
【図１１】
2012020090.tif 000026
【図１２】
2012020090.tif 000027
【図１３】
2012020090.tif 000028
【図１４】
2012020090.tif 000029
【図１５】
2012020090.tif 000030
【図１６】
2012020090.tif 000031